(57)【要約】【課題】円板体投入口に投入された真円板体よりも板厚の厚い円板体をより一層確実に規制し排除することの出来る円板体選別装置を提供する。【解決手段】円板体投入口２から投入された円板体を斜め傾斜した方向へ転送する円板体案内通路に、投入された円板体の板厚を規制し、その転送を阻止する円板体板厚規制手段３０と、この円板体板厚規制手段３０により転送阻止された円板体が円板体案内通路５の下流へ転送されることを阻止する円板体通行阻止手段５０を配設した。【選択図】  図１
2004334771.tif 000002
【特許請求の範囲】
【請求項１】
円板体投入口から投入された円板体を斜め傾斜した方向へ転送する円板体案内通路と、この円板体案内通路に配設され、投入された円板体の板厚を規制し、その転送を阻止する円板体板厚規制手段とを具えた円板体選別装置において、
前記円板体板厚規制手段の下流に位置する前記円板体案内通路に、前記円板体板厚規制手段により転送阻止された円板体が前記円板体案内通路の下流へ転送されることを阻止する円板体通行阻止手段を配設したことを特徴とする円板体選別装置。
【請求項２】
前記円板体は、硬貨、遊戯用メダル、トークン等であることを特徴とする請求項１に記載の円板体選別装置。
【請求項３】
前記円板体板厚規制手段は、シックネススクリューにより構成されていることを特徴とする請求項１に記載の円板体選別装置。
【請求項４】
前記円板体板厚規制手段は軸を中心に回動自在に支承されたレバーと、該レバーの下端に支承され前記円板体案内通路を通過する前記円板体の一側面を常時押圧する傾斜ガイドと、前記レバーを前記軸を中心に常時前記円板体の一側面を押圧する方向へ付勢する付勢手段と、前記傾斜ガイドの一定回転角度以上の回転を規制するストッパー手段とからなることを特徴とする請求項１に記載の円板体選別装置。
【請求項５】
前記傾斜ガイドは、前記円板体案内通路側へ向けて先端が漸次傾斜したガイド部と、該ガイド部の先端に支承された板厚規制部とからなることを特徴とする請求項４に記載の円板体選別装置。
【請求項６】
前記板厚規制部は円錐台形状で、金属製であることを特徴とする請求項５に記載の円板体選別装置。
【請求項７】
前記付勢手段は圧縮バネであることを特徴とする請求項４に記載の円板体選別装置。
【請求項８】
前記円板体通行阻止手段は、円板体返却時に、前記円板体案内通路内に出没可能なノックアウトレバーからなることを特徴とする請求項１に記載の円板体選別装置。
【請求項９】
前記ノックアウトレバーは、断面が略コの字形で軸を中心に回動自在に支承され、さらに付勢手段により、常時は前記円板体案内通路から退避した位置に位置決めされていることを特徴とする請求項８に記載の円板体選別装置。
【発明の詳細な説明】
【０００１】
【発明の属する技術分野】
この発明は、硬貨、代用硬貨（トークン）、あるいは遊戯用メダル等の円板体の真偽を判別し、それを選別する円板体選別装置に関する。
【０００２】
【従来の技術】
従来から、自動販売機、スロットマシーン等の遊戯用機械内には、円板体投入口から投入された円板体（硬貨、あるいは遊戯用メダル等）の真偽を判別し、真円板体と見做された円板体を収容するとともに、偽円板体と見做された円板体を返却するようにした円板体選別装置が配設されている。
【０００３】
図１１は従来の円板体選別装置１を示す要部概念正面図で、特に円板体投入口２の付近を示したものである。
【０００４】
この円板体選別装置１は、円板体投入口２内に投入された円板体を下方に案内する第１の円板体案内通路３と、この第１の円板体案内通路３の下流端に連通し、投入された円板体を図面右斜め方向へ案内する一本の傾斜転送レール４からなる第２の円板体案内通路５とから構成されている。なお、図１１で符号１３は円板体の真偽、あるいは通過する円板体の数を計測する円板体検出手段である。
【０００５】
なお、この第１及び第２の円板体案内通路３、５は図１１のＡＡ断面図で示す図１２のように、メインプレート６とこのメインプレート６の表面を開閉するゲートプレート７とにより構成されている。
【０００６】
一方、第２の円板体案内通路５には、図１１に示すように、投入された円板体の板厚を規制することにより、当該円板体の真偽を判別する円板体の板厚規制手段８が配設されている。
【０００７】
この従来の板厚規制手段８は、図１２、および図１１のＢＢ概念断面図で示す図１３のように、メインプレート６に配設されたシックネススクリユー９により構成され、このシックネススクリユー９はメインプレート６の表面から第２の円板体案内通路５内へ向け突設され、これによりゲートプレート７の背面とシックネススクリユー９先端との間の隙間で第２の円板体案内通路５内を落下する円板体の板厚を規制している。なお、このシックネススクリユー９先端と対向するゲートプレート７の背面との間の隙間は真円板体の板厚とほぼ同じか若干広い距離に設定されている。
【０００８】
このような板厚規制手段８によると、図１４で示すように、投入された円板体１０の板厚が真円板体の板厚と同一が、それよりも薄い場合は板厚規制手段８を通過して、第２の円板体案内通路５の下流に案内され選別されることとなる。
【０００９】
一方、図１５で示すように、投入された円板体１１の板厚が真円板体の板厚よりも厚い場合は、板厚規制手段８のシックネススクリュー９先端に当接する。
【００１０】
これにより板厚が真円板体よりも厚い円板体１１はシックネススクリュー９先端に当接して停止し、これにより規定以上の板厚を有する円板体１１の投入が規制される。
【００１１】
このように、シックネススクリュー９先端とゲートプレート７の背面との間に停止した規定厚以上の円板体１１は、メインプレート６に対し矢印Ｄのようにゲートプレート７を拡開すると、規定厚以上の円板体１１は下方に落下し、排除されて返却される。
【００１２】
なお、図１１、図１２で、符号１５は第２の円板体案内通路５に形成され、円板体をその外径の差異により選別する周知の円板体外径選別手段で、この円板体外径選別手段１５は図１２で示すように、ゲートプレート７に形成された切り欠７ａと傾斜面７ｂとにより構成されている。
【００１３】
【発明が解決しようとする課題】
ところで、上述した従来の円板体選別装置１によると、図１５で示すように、投入された円板体１１の板厚が真円板体の板厚よりも厚い場合は、板厚規制手段８のシックネススクリュー９先端に円板体１１が当接し、これにより当該円板体１１はシックネススクリュー９先端とゲートプレート７の背面との間に停止するが、その後、この円板体１１を落下させて排除すべく図１６で示すようにゲートプレート７を矢印Ｄのように拡開し、シックネススクリュー９先端とゲートプレート７の背面との間の隙間を少し大きくすると、円板体１１が落下する直前に図１６で示すように、この少し大きくなったシックネススクリュー９先端とゲートプレート７背面との間を円板体１１が通り抜け、下方へ排除されず第２の円板体案内通路５の下流へ転送されて真円板体として取り扱われてしまう虞があった。
【００１４】
この発明は、上述した事情に鑑み、円板体投入口に投入された真円板体よりも板厚の厚い円板体をより一層確実に規制し排除することの出来る円板体選別装置を提供することを目的とする。
【００１５】
【課題を解決するための手段】
上述した課題を解決するため、この発明では、円板体投入口から投入された円板体を斜め傾斜した方向へ転送する円板体案内通路と、この円板体案内通路に配設され、投入された円板体の板厚を規制し、その転送を阻止する円板体板厚規制手段とを具えた円板体選別装置において、前記円板体板厚規制手段の下流に位置する前記円板体案内通路に、前記円板体板厚規制手段により転送阻止された円板体が前記円板体案内通路の下流へ転送されることを阻止する円板体通行阻止手段を配設するようにしている。
【００１６】
【発明の実施の形態】
以下、この発明に係わる円板体選別装置の一実施例を詳述する。
【００１７】
図１はこの発明に係わる円板体選別装置２０の要部概念正面図で、図１１乃至図１６と同一部分を同一符号で示す。
【００１８】
この円板体選別装置２０も従来と同様に、円板体投入口２内に投入された円板体を下方に案内する第１の円板体案内通路３と、この第１の円板体案内通路３の下流端に連通し、投入された円板体を図面右斜め方向へ案内する一本の傾斜転送レール４からなる第２の円板体案内通路５とを有している。
【００１９】
また、この円板体選別装置２０でも、投入された円板体の板厚を規制することにより、当該円板体の真偽を判別する円板体の板厚規制手段３０が一本の傾斜転送レール４からなる第２の円板体案内通路５に配設されている。
【００２０】
一方、この板厚規制手段３０の下流に位置する第２の円板体案内通路５には、当該板厚規制手段３０により転送阻止された円板体が第２の円板体案内通路５の下流へ転送されることを阻止する円板体通行阻止手段５０が配設されている。
【００２１】
次に、この板厚規制手段３０と円板体通行阻止手段５０の各構造を順に追って詳述する。
【００２２】
この円板体の板厚規制手段３０は第２の円板体案内通路５の上流側に配設され、かつ投入された円板体と当接し、当接する円板体の板厚に応じて姿勢を変化させ、投入された円板体の板厚を規制するもので、その構造は、図１のＣＣ断面図で示す、図２で示すように、メインプレート６の背面に軸３１を中心に回動自在に支承されたレバー３２と、このレバー３２の下端に支承された傾斜ガイド３３と、前記レバー３２を前記軸３１を中心に真に常時反時計方向へ付勢する圧縮バネ３４と、前記傾斜ガイド３３の一定回転角度以上の回転を規制するストッパー手段３５とから構成されている。
【００２３】
なお、上述した傾斜ガイド３３は、図２及び図１のＤＤ断面で示す図３のように、第２の円板体案内通路５の一方の側壁を構成するメインプレート６の表面に形成された孔６ａから出没自在であり、図２、図３に示す初期位置では、前記圧縮バネ３４の付勢力によりゲートプレート７の傾斜面７ｂに当接して、その動きが停止している。
【００２４】
一方、板厚規制手段３０の傾斜ガイド３３は、図３で示すように、先端が第２の円板体案内通路５の下流へ向けて漸次ゲートプレート７側へ傾斜したガイド部３３ａと、このガイド部３３ａの先端に支承された略円錐台形状の板厚規制部３３ｂとから構成されている。なお、この板厚規制部３３ａは金属製である。
【００２５】
また、図３で示すように、この板厚規制部３３ｂと対向する位置に前記ストッパー手段３５が配設され、このストッパー手段３５は、図２で示すように、メインプレート６の背面に支承された雌ネジ部３５ａに螺合したシックネススクリュー９により構成されている。
【００２６】
一方、この板厚規制手段３０の下流に位置する円板体通行阻止手段５０は、図３に示すように、メインプレート６に形成された切り欠６ｃを介して第２の円板体案内通路５内に出没自在な略断面コの字形状のノックアウトレバー５１から構成されている。
【００２７】
このノックアウトレバー５２は、軸５２を中心に回動自在に支承され、さらに当該ノックアウトレバー５２は圧縮バネ５３によって、常時前記軸５２を中心に反時計方向へ回転するように付勢されている。
【００２８】
なお、上述したノックアウトレバー５１の先端５１ａ側にはストッパー突起５１ｂが突設され、図３の初期位置では、この突起５１ｂはメインプレート６の背面に形成された係止片６ｄと係合し、その回動が停止している。
【００２９】
なお、上述したロックレバー５１の上面には、ゲートプレート７の拡開に使用する後述する拡開ピンが係合する係合片５１ｃが突設形成されている。
【００３０】
次に、上述した円板体選別装置２０の作用を説明し、併せて構成をより詳細に説明する。
【００３１】
図４に示すように、選別対象となる規定の径よりも大きい円板体４０が、円板体投入口２内に勢い良く投入されると、その円板体４０は第１の円板体通路３を通過して、第２の円板体通路５を構成する傾斜転送レール４に衝突し、その後、進行方向を傾斜した第２の円板体通路５側へ向ける。
【００３２】
その際、図４のＤＤ断面で示す図５及び図４のＣＣ断面で示す図６のように、勢い良く投入され、それにより暴れる円板体４０の一側面は徐々に圧接する傾斜ガイド部３３ａの付勢力、即ち圧縮バネ３４（図２）により付勢され、かつ揺動自在に支承された板厚規制手段３０の傾斜ガイド部３３ａの付勢力により、徐々にゲートプレート７側に押し付けられてその暴れ、即ち振動が吸収され、制振される。
【００３３】
その後、この投入円板体４０の板厚が、規定の板厚よりも薄い場合は、図５で示すように、板厚規制手段３０の傾斜ガイド部３３ａ及び板厚規制部３３ｂ、更に円板体通行阻止手段５０を通過し第２の円板体通路５の下流へスムーズに案内され、選別される。
【００３４】
そして、その下流に配設された前記検出手段１３（図１）により、投入円板体４０の真偽、あるいはその通過枚数が計測される。
【００３５】
一方、図７、図８で示すように、規定の径よりも大きくしかも規定の板厚よりも厚い、円板体７０が勢い良く投入された場合でも、その円板体７０の暴れは、当該円板体７０の側面に徐々に圧接する傾斜ガイド部３３ａの付勢力により、徐々にゲートプレート７側に押し付けられてその暴れが吸収される。
【００３６】
このように、暴れが吸収された規定の板厚よりも厚い円板体７０が第２の円板体通路５の下流側へ案内され、傾斜ガイド３３の板厚規制部３３ｂに当接すると、当該板厚規制部３３ｂは前記ストッパー手段３５のシックネススクリュー９に当接し、それにより当該板厚規制部３３ｂとゲートプレート７背面との間の隙間が規制され、規定の板厚よりも厚い円板体７０の進行が確実に停止する。
【００３７】
なお、シックネススクリュー９と当接した板厚規制部３３ｂとゲートプレート７背面との間の隙は、規定の円板体（真円板体）の厚さと同じか若干大きく形成されていることは言うまでもない。
【００３８】
従って、上述した板厚規制手段３０によると、勢い良く投入され、かつ暴れる円板体も、そのエネルギーが上述した姿勢を変更する板厚規制手段３０の傾斜ガイド３３により吸収され、安定した姿勢で第２の円板体案内通路５の下流へ転送されることとなる。
【００３９】
一方、図７、図８で示すように、規定の板厚よりも厚い円板体７０が板厚規制手段３０によりその移動が停止されると、次に図示せぬ返却レバーを操作して、ゲートプレート７をメインプレート６に対して拡開させ、当該停止した円板体７０を下方へ落下させて排除する操作を行う。
【００４０】
その際、図９で示すように、図示せぬ返却レバーに連動して、一点鎖線で示すように突出する拡開ピン８０が円板体通行阻止手段５０の係合片５１ｃに当接すると、当該係合片５１ｃを介し、ノックアウトレバー５１が軸５２を中心に時計方向へ回転し、その先端５１ａを第２の円板体通路５内に突出させる。
【００４１】
また拡開ピン８０が円板体通行阻止手段５０の係合片５１ｃに当接すると、同時に当該係合片５１ｃの下面に当接した一点鎖線で示すゲートプレー７の突出片７ｄを押圧し、ゲートプレート７をメインプレート６に対して矢印Ｅのように拡開する。
【００４２】
このように、返却レバーに連動する拡開ピン８０により、ゲートプレート７がメインプレート６に対して僅かに拡開すると、板厚規制部３３ｂとゲートプレート７表面との間の隙間が若干開き、このため従来と同様に停止した円板体７０が第２の円板体案内通路５の下流へ移動しようとするが、その際、前述した円板体通行阻止手段５０のノックアウトレバー５１が第２の円板体通路５内に突出して、図９のように、その移動を規制するので、第２の円板体案内通路５の下流へ案内されることはなく、その位置に停止する。
【００４３】
その後、図１０で示すように、更に返却レバーに連動する拡開ピン８０が第２の円板体案内通路５側に移動し、これにより円板体通行阻止手段５０の係合片５１ｃを介しゲートプレート７がメインプレート６に対して拡開すると、ノックアウトレバー５１により、その進行が阻止された円板体７０は、拡開したゲートプレート７とメインプレート６との間に形成された大きな隙間９０からその下方へ落下して図示せぬ円板体返却口に確実に返却されることとなる。
【００４４】
なお、円板体７０の返却が終了した後、図示せぬ返却レバーを初期位置に戻せば、円板体通行阻止手段５０のノックアウトレバー５１は付勢手段の圧縮バネ５３の付勢力により、図３の初期位置に復帰することとなる。
【００４５】
なお、上記実施例では、上述した板厚規制手段３０を、姿勢を変更する傾斜ガイド部３３ａから構成するようにしたが、この発明は上記実施例に限定されることなく、従来例の図１１で示したように、シックネススクリュー９のみで構成した板厚規制手段８でも良い。
【００４６】
【発明の効果】
以上説明したように、この発明の円板体選別装置では、円板体投入口から投入された円板体を斜め傾斜した方向へ転送する円板体案内通路に、投入された円板体の板厚を規制し、その転送を阻止する円板体板厚規制手段と、この円板体板厚規制手段により転送阻止された円板体が円板体案内通路の下流へさらに転送されることを阻止する円板体通行阻止手段を配設するようにしたため、円板体投入口に投入された真円板体よりも板厚の厚い円板体をより一層確実に規制し、かつ排除することが可能で、これにより円板体の選別ミスを可及的に低減した円板体選別装置を提供することが出来る。
【図面の簡単な説明】
【図１】図１はこの発明に係る円板体選別装置の要部概念正面図。
【図２】図２は図１のＣＣ断面図。
【図３】図３は図１のＤＤ断面図。
【図４】図４はこの発明に係る円板体選別装置の作用を示す要部概念正面図。
【図５】図５は図４のＤＤ断面図。
【図６】図６は図４のＣＣ断面図。
【図７】図７はこの発明に係る円板体選別装置の作用を示す図４のＤＤ断面図。
【図８】図８はこの発明に係る円板体選別装置の作用を示す図４のＣＣ断面図。
【図９】図９はこの発明に係る円板体選別装置の作用を示す図４のＤＤ断面図。
【図１０】図１０はこの発明に係る円板体選別装置の作用を示す図４のＤＤ断面。
【図１１】図１１は従来の円板体選別装置の要部は断面図。
【図１２】図１２は図１１のＡＡ断面図。
【図１３】図１３は図１１のＢＢ断面図。
【図１４】図１４は従来の円板体選別装置の作用を示す図１１のＢＢ断面図。
【図１５】図１５は従来の円板体選別装置の作用を示す図１１のＢＢ断面図。
【図１６】図１６は従来の円板体選別装置の作用を示す図１１のＢＢ断面図。
【符号の説明】
２…円板体投入口
５…円板体案内通路
１０、１１、６０、７０…円板体
２０…円板体選別装置
３０…円板体板厚規制手段
３１…軸
３２…レバー
３３…傾斜ガイド
３３ａ…ガイド部
３３ｂ…板厚規制部
３４、５３…付勢手段
３５…ストッパー手段
５０…円板体通行阻止手段
５１…ノックアウトレバー
【図１】
2004334771.tif 000003
【図２】
2004334771.tif 000004
【図３】
2004334771.tif 000005
【図４】
2004334771.tif 000006
【図５】
2004334771.tif 000007
【図６】
2004334771.tif 000008
【図７】
2004334771.tif 000009
【図８】
2004334771.tif 000010
【図９】
2004334771.tif 000011
【図１０】
2004334771.tif 000012
【図１１】
2004334771.tif 000013
【図１２】
2004334771.tif 000014
【図１３】
2004334771.tif 000015
【図１４】
2004334771.tif 000016
【図１５】
2004334771.tif 000017
【図１６】
2004334771.tif 000018